(57)【要約】【課題】被施術者頭部に毛髪施術用キャップまたは毛髪施術用カプセルを被せた時に、毛髪施術用キャップまたは毛髪施術用カプセルの内側頭頂部分が、被施術者頭頂部に接し圧迫することなく、毛髪にふんわり感をだすヘアスタイル形成を可能にすることを提供する。【解決手段】内側に人の頭が入る空間を有すると共に毛髪施術用キャップ２１を支持するキャップ保持前頭フレーム１１とキャップ保持頭頂フレーム１２は、キャップ保持前頭フレーム１１とキャップ保持頭頂フレーム１２及び毛髪施術用キャップ２１の内面部と、被施術者の頭頂部との、空間を保持出来る。その結果、頭頂部毛髪が押さえ込まれることなく、毛髪にふんわり感をだすヘアスタイル形成をする施術が出来る。また、カラーリング剤が頭皮に付着してしまうことのないように出来る。【選択図】図１０
2013141517.tif 000002
【特許請求の範囲】
【請求項１】
毛髪施術用キャップを支持するフロートフレームであって、
内側に人の頭が入る空間を有すると共に前記毛髪施術用キャップを支持する第一のフレームと、
前記第一のフレームを人の肩に支持する第二のフレームと、
を備えることを特徴とするフロートフレーム。
【請求項２】
前記第一のフレームと前記第二のフレームとは、互いに回動可能であることを特徴とする請求項１に記載のフロートフレーム。
【請求項３】
内側に人の頭が入る空間を有する毛髪施術用キャップを備えるフロートキャップであって、
前記毛髪施術用キャップを人の肩に支持する第三のフレーム、
を備えることを特徴とするフロートキャップ。
【請求項４】
前記毛髪施術用キャップと前記第三のフレームとは、互いに回動可能であることを特徴とする請求項３に記載のフロートキャップ。
【発明の詳細な説明】
【技術分野】
【０００１】
本発明は、毛髪施術用キャップを支持するためのフロートフレーム及びフロートキャップに関する。
【背景技術】
【０００２】
従来、理美容院においては、毛髪にパーマ、カラーリング、または、トリートメントをする施術が行われる。そして、毛髪にパーマ、カラーリング、または、トリートメントをする時に、その施術効果を高める為、被施術者頭部に毛髪施術用キャップまたは毛髪施術用カプセルを被せ、熱または、水分を毛髪に与えたり、オゾン、マイナスイオンを与えたりして、各施術を施す。
【０００３】
しかしながら、前述の施術時に、被施術者頭部に毛髪施術用キャップまたは毛髪施術用カプセルを被せると、被施術者頭頂部に毛髪施術用キャップまたは毛髪施術用カプセルの内側頭頂部分が、被施術者頭頂部の毛髪を圧迫し、その部分の毛髪が頭に対して毛髪の根元から横倒しに寝てしまう。本来、毛髪が頭に対し垂直に立ち上がり、毛髪の立ち上がりにより、ふんわり感がでるヘアスタイルが望まれるが、従来の被施術者頭頂部毛髪を圧迫する毛髪施術用キャップまたは毛髪施術用カプセルでは、ふんわり感は出せなかった。
【０００４】
また、被施術者頭部に毛髪施術用キャップまたは毛髪施術用カプセルを被せると、毛髪施術用キャップまたは毛髪施術用カプセルの内側頭頂部分が、被施術者頭頂部を毛髪施術用キャップまたは毛髪施術用カプセルの重量により圧迫し、被施術者の頭及び首はその重量負担を受け、首が疲れることになる。
【０００５】
さらに、カラーリング施術の中でも酸性カラー及びマニキュアタイプのカラーリング剤は、その薬剤である染料が頭皮に付着すると、その染料により染色された皮膚を元の非染色状態に戻すことは難しい。
酸性カラー及びマニキュアタイプのカラーリング剤が塗布された被施術者頭部に毛髪施術用キャップまたは毛髪施術用カプセルを被せると、頭頂部に毛髪施術用キャップまたは毛髪施術用カプセルの内側頭頂部分が接触、圧迫し、カラーリング剤が塗布された頭頂部の毛髪が圧迫され、その部分の毛髪が、頭皮に対して横倒しになり、頭皮に接触し、毛髪に塗布されているカラーリング剤が頭皮に付着してしまう。酸性カラー及びマニキュアタイプのカラーリング剤が頭皮に付着してしまうことは、好ましい施術とは言えない。
【０００６】
なぜなら、前述したように酸性カラー及びマニキュアタイプのカラーリング剤が頭皮に付着したら、染色された頭皮を元の非染色状態に戻すには、頭皮に染料剥離剤などの染色落とし剤を頭皮に刷り込み、拭取る作業をすることになる。染色されてしまった頭皮部分を、染料剥離剤を付けた布で何度も擦り、擦ることにより擦った頭皮を痛める。さらに、染料剥離するのには、かなりの所要時間を要する。
【０００７】
これらの問題を解決するために、被施術者頭部に毛髪施術用カプセルを被せた時、毛髪施術用カプセルが被施術者の頭頂部に触れることの無いようにするため、床から移動式の支柱を立て、その支柱に毛髪施術用カプセルを固定し、頭頂部に毛髪施術用カプセルの内側頭頂部分が当たらないように施術できる形態の毛髪施術用カプセルの支持具はあった。しかし、小型軽量で安価に対応できる支持具は無かったのが現状で、前述の移動式支柱支持具を備える毛髪施術用カプセル以外の毛髪施術用キャップまたは毛髪施術用カプセルは、その内側頭頂部分が被施術者の頭頂部に当たり、接触し、圧迫することが常識であったといえる。（例えば特許文献１と実用新案文献２）
【先行技術文献】
【特許文献】
【０００８】
【特許文献１】特許公開２００８−２３７６８１号
【特許文献２】登録実用新案第３０１７４７２号
【発明の開示】
【発明が解決しようとする課題】
【０００９】
本発明は上記の点に鑑みなされたもので、簡単な構成でありながら、被施術者頭部に毛髪施術用キャップまたは毛髪施術用カプセルを被せた時に、毛髪施術用キャップまたは毛髪施術用カプセルの内側頭頂部分が、被施術者頭頂部に接し圧迫しないようにできるフロートフレーム及びフロートキャップを提供するものである。
【課題を解決するための手段】
【００１０】
請求項１の発明は、毛髪施術用キャップを支持するフロートフレームであって、内側に人の頭が入る空間を有すると共に前記毛髪施術用キャップを支持する第一のフレームと、前記第一のフレームを人の肩に支持する第二のフレームと、を備えることを特徴とするフロートフレームに係る。
【００１１】
請求項２の発明は、前記第一のフレームと前記第二のフレームとは、互いに回動可能であることを特徴とする請求項１に記載のフロートフレームに係る。
【００１２】
請求項３の発明は、内側に人の頭が入る空間を有する毛髪施術用キャップを備えるフロートキャップであって、前記毛髪施術用キャップを人の肩に支持する第三のフレーム、を備えることを特徴とするフロートキャップに係る。
【００１３】
請求項４の発明は、前記毛髪施術用キャップと前記第三のフレームとは、互いに回動可能であることを特徴とする請求項３に記載のフロートキャップに係る。
【発明の効果】
【００１４】
請求項１の発明は、毛髪施術用キャップを支持するフロートフレームであって、内側に人の頭が入る空間を有すると共に前記毛髪施術用キャップを支持する第一のフレームと、前記第一のフレームを人の肩に支持する第二のフレームと、を備えるため、請求項２の発明は、前記第一のフレームと前記第二のフレームとは、互いに回動可能であるため、請求項３の発明は、内側に人の頭が入る空間を有する毛髪施術用キャップを備えるフロートキャップであって、前記毛髪施術用キャップを人の肩に支持する第三のフレーム、を備えるため、請求項４の発明は、前記毛髪施術用キャップと前記第三のフレームとは、互いに回動可能であるため、簡単な構成でありながら、被施術者頭部に毛髪施術用キャップまたは毛髪施術用カプセルを被せた時に、被施術者頭頂部に毛髪施術用キャップまたは毛髪施術用カプセルの内側頭頂部分が、被施術者頭頂部を接し圧迫しないようにできるフロートフレーム及びフロートキャップを提供出来る。        
フロートフレーム及びフロートキャップは、毛髪施術用キャップまたは毛髪施術用カプセルの内側頭頂部分で被施術者頭頂部を接し圧迫しないため、被施術者頭頂部の毛髪を接し圧迫せず、毛髪が頭に対し垂直に立ち上がり、ふんわり感をだすヘアスタイル形成が可能になる。また、毛髪施術用キャップまたは毛髪施術用カプセルの内側頭頂部分が、被施術者頭頂部を毛髪施術用キャップまたは毛髪施術用カプセルの重量により圧迫しないため、被施術者の頭及び首がその重量負担を受けず、首が疲れることが無くなる。さらに、酸性カラー及びマニキュアタイプのカラーリング剤が塗布された被施術者頭頂部の毛髪が頭皮に圧迫されないため、毛髪が頭皮に対して横倒しになり、酸性カラー及びマニキュアタイプのカラーリング剤が頭皮に付着してしまうことがないように出来る。
【図面の簡単な説明】
【００１５】
【図１】フロートフレームを表す後方図
【図２】フロートフレームを表す側面図
【図３】フロートキャップを表す後方図
【図４】フロートキャップを表す側面図
【図５】フロートフレームを毛髪施術用キャップに装着した後方透視図
【図６】フロートフレームを毛髪施術用キャップに装着した側面透視図
【図７】本発明の使用形態の例を表す後方図
【図８】本発明の使用形態の例を表す側面図
【図９】フロートカプセルを表す図
【図１０】フロートフレームを毛髪施術用キャップに装着したパーマ施術時側面透視図
【発明を実施するための形態】
【００１６】
[構成]
先ず、フロートフレームの構成を以下に説明する。図１・図２・図５・図６に示すようにフロートフレーム１０は、主にキャップ保持前頭フレーム１１、キャップ保持頭頂フレーム１２、右肩前方固定フレームＡ１３、左肩前方固定フレームＡ１４、肩後方固定フレームＡ１５で構成される。右肩前方固定フレームＡ１３と、肩後方固定フレームＡ１５の一方端末を、右肩方向外側回転リングＡ１６に支持。キャップ保持前頭フレーム１１とキャップ保持頭頂フレーム１２のそれぞれ一方端末を、右肩方向内側回転リング１７に支持。右肩方向外側回転リングＡ１６と右肩方向内側回転リング１７は、回転軸２０により回動可能に支持される。左肩前方固定フレームＡ１４と、肩後方固定フレームＡ１５の前記端末の反対方向端末を、左肩方向外側回転リングＡ１８に支持。キャップ保持前頭フレーム１１とキャップ保持頭頂フレーム１２のそれぞれ前記端末の反対方向端末を、左肩方向内側回転リング１９に支持。左肩方向外側回転リングＡ１８と左肩方向内側回転リング１９は、回転軸２０により回動可能に支持される。このように構成されたフロートフレーム１０は、毛髪施術用キャップ２１の内側に着脱自在に取り付けられる。
【００１７】
内側に人の頭が入る空間を有すると共に毛髪施術用キャップ２１を支持する本発明の第一のフレームであるキャップ保持前頭フレーム１１とキャップ保持頭頂フレーム１２は、標準的な成人の頭部から２５センチメートル以内の空間を保持できるアーチを形成し、右肩方向内側回転リング１７と左肩方向内側回転リング１９に支持する。
【００１８】
内側に人の頭が入る空間を有すると共に毛髪施術用キャップ２１を支持する本発明の第一のフレームは、キャップ保持前頭フレーム１１とキャップ保持頭頂フレーム１２の２つのフレームに、数量限定されず、内側に人の頭が入る空間を有すると共に毛髪施術用キャップ２１を支持できれば、何本でも良い。また、第一フレームは、合成を高めるために、網かごのように格子状にすることも良い。
【００１９】
右肩方向内側回転リング１７と右肩方向外側回転リングＡ１６、左肩方向内側回転リング１９と右肩方向外側回転リングＡ１８は、図２に表すように回転軸２０を中心に、同方向に回動する。
【００２０】
前記、右肩方向内側回転リング１７と右肩方向外側回転リングＡ１６、左肩方向内側回転リング１９と右肩方向外側回転リングＡ１８を、それぞれの回転軸２０を中心に同方向に回動させた場合、図７と図８の使用形態の例で表すように、右肩前方固定フレームＡ１３と左肩前方固定フレームＡ１４、そして肩後方固定フレームＡ１５が被施術者の肩に固定される為、右肩前方固定フレームＡ１３と左肩前方固定フレームＡ１４、そして肩後方固定フレームＡ１５が支持された右肩方向外側回転リングＡ１６と左肩方向外側回転リングＡ１８は回動せず、右肩方向内側回転リング１７と左肩方向内側回転リング１９が回動することになる。
【００２１】
右肩方向内側回転リング１７と左肩方向内側回転リング１９が回動すると、右肩方向内側回転リング１７と左肩方向内側回転リング１９に支持したキャップ保持前頭フレーム１１とキャップ保持頭頂フレーム１２のそれぞれフレーム中間部は、図２の破線矢印に示すように、被施術者の肩に対し、回転軸２０を中心に上下方向に回動することになる。
【００２２】
図７と図８に示す使用形態は、フロートフレーム１０を毛髪施術用キャップ２１の内側に取り付け、被施術者がその毛髪施術用キャップ２１を被った状態を示すものである。被施術者の肩とその頭部角度、そして肩から頭頂部までの距離は、人それぞれ違いが有る。その肩とその頭部角度、そして肩から頭頂部までの距離の違いを、前記回転軸２０を中心に回動するキャップ保持前頭フレーム１１とキャップ保持頭頂フレーム１２の動きで、内側に人の頭が入る空間を有する保持前頭フレーム１１とキャップ保持頭頂フレーム１２を内側に取り付けた毛髪施術用キャップ２１の内面は、被施術者の頭頂部に接し圧迫すること無く、空間を保つことが出来る。
【００２３】
被施術者の肩とその頭部角度、そして肩から頭頂部までの距離の違いに対し、キャップ保持前頭フレーム１１とキャップ保持頭頂フレーム１２を頭頂部に対して空間を保てるようにするには、右肩方向外側回転リングＡ１６と右肩方向内側回転リング１７、左肩方向外側回転リングＡ１８と左肩方向内側回転リング１９が、回動ではなく、本発明の第一のフレームであるキャップ保持前頭フレーム１１とキャップ保持頭頂フレーム１２を、人の肩に支持する第二のフレームである右肩前方固定フレームＡ１３と左肩前方固定フレームＡ１４及び肩後方固定フレームＡ１５に対して、２０センチメートル以内で上下にスライドできる方式でも良い。
【００２４】
また、被施術者の肩とその頭部角度を、被施術者自身により固定維持し、肩から頭頂部までの距離は、肩から頭頂部までの距離が長い被施術者に合わせ、該被施術者頭頂部とキャップ保持前頭フレーム１１及びキャップ保持頭頂フレーム１２の間の空間を保持するには、キャップ保持前頭フレーム１１とキャップ保持頭頂フレーム１２と、右肩前方固定フレームＡ１３と左肩前方固定フレームＡ１４及び肩後方固定フレームＡ１５とは、回動する回転リング、又は前記スライドによらず、固着一体のものでも良い。
【００２５】
さらに、右肩前方固定フレームＡ１３と左肩前方固定フレームＡ１４のいずれか又は両方が、肩後方固定フレームＡ１５と固着一体化しても良い。肩に設置する右肩前方固定フレームＡ１３及び左肩前方固定フレームＡ１４と、肩後方固定フレームＡ１５との間隔は、肩の厚みに対し、狭くなるようにすると良い。また、右肩前方固定フレームＡ１３及び左肩前方固定フレームＡ１４と肩後方固定フレームＡ１５の肩に接する部分には、シリコーンゴム等の滑り止め用部材を設けると良い。
【００２６】
フロートキャップは、内側に人の頭が入る空間を有する毛髪施術用キャップを備え、前記毛髪施術用キャップを人の肩に支持する第三のフレームを備えることを特徴とするが、該フロートキャップにおける毛髪施術用キャップは、非可撓性である。                          
【００２７】
該毛髪施術用キャップが非可撓性であるため、右肩方向外側回転リングＢ３０と左肩方向外側回転リングＢ３１は、回転軸２０により毛髪施術用キャップに、回動可能に支持出来る。右肩前方固定フレームＢ２７と、肩後方固定フレームＢ２９の一方端末を、右肩方向外側回転リングＢ３０に支持。左肩前方固定フレームＢ２８と、肩後方固定フレームＢ２９の前記端末の反対方向端末を、左肩方向外側回転リングＢ３１に支持。右肩前方固定フレームＢ２７と左肩前方固定フレームＢ２８、そして肩後方固定フレームＢ２９が被施術者の肩に固定される為、右肩前方固定フレームＢ２７と左肩前方固定フレームＢ２８、そして肩後方固定フレームＢ２９が支持された右肩方向外側回転リングＢ３０と左肩方向外側回転リングＢ３１は回動せず、非可撓性毛髪施術用キャップが回動することになる。
【００２８】
フロートキャップにおける毛髪施術用キャップは、毛髪施術用キャップの全てが非可撓性でも良いが、毛髪施術用キャップの心材が非可撓性で、その心材を布地で覆った形態でも良い。図３と図４に表す例は、毛髪施術用キャップの心材が非可撓性で、心材に布地を覆った非可撓性心材毛髪施術用キャップの例である。
【００２９】
被施術者の肩とその頭部角度、そして肩から頭頂部までの距離は、人それぞれ違いが有る。その肩とその頭部角度そして頭頂部までの距離の違いを、回転軸２０を中心に回動する非可撓性毛髪施術用キャップの動きで、内側に人の頭が入る空間を有する非可撓性毛髪施術用キャップの内面が、被施術者の頭頂部に接し圧迫すること無く、空間を保てるように出来る。
【００３０】
非可撓性毛髪施術用キャップを、右肩方向外側回転リングＢ３０と左肩方向外側回転リングＢ３１に対し回動ではなく、非可撓性毛髪施術用キャップを、人の肩に支持する第三のフレームに対し、２０センチメートル以内で肩に対し、上下にスライドできる方式でも良い。
【００３１】
また、被施術者の肩とその頭部角度を、被施術者自身により固定維持し、肩から頭頂部までの距離は、肩から頭頂部までの距離が長い被施術者に合わせ、該被施術者頭頂部と非可撓性毛髪施術用キャップ間の空間を保持するには、非可撓性毛髪施術用キャップと、人の肩に支持する右肩前方固定フレームＢ２７と左肩前方固定フレームＢ２８及び肩後方固定フレームＢ２９とは、回動する回転リング、又は前記スライドによらず、固着一体のものでも良い。
【００３２】
さらに肩に固定する右肩前方固定フレームＢ２７と左肩前方固定フレームＢ２８、そして肩後方固定フレームＢ２９は、固着一体化しても構わない。肩に設置する右肩前方固定フレームＢ２７及び左肩前方固定フレームＢ２８と、肩後方固定フレームＢ２９との間隔は、肩の厚みに対し、狭くなるようにすると良い。また、右肩前方固定フレームＢ２７及び左肩前方固定フレームＢ２８と肩後方固定フレームＢ２９の肩に接する部分には、シリコーンゴム等の滑り止め用部材を設けると良い。
【００３３】
非可撓性毛髪施術用キャップは、図９に表す毛髪施術用カプセルのような形態でも構わない。
【００３４】
[使用方法]
次にフロートフレームとフロートキャップの使用方法を以下に説明する。
フロートフレーム１０は、頭髪にパーマ還元剤が塗布され、ビニールキャップを被せられたパーマをかける被施術者の頭部、または、カラーリング剤、トリートメント剤が塗布された被施術者頭部に、図５と図６のように毛髪施術用キャップ２１の内側にフロートフレーム１０を接合し、フロートフレーム１０を被施術者頭部の上方向から被せる。被施術者頭部に被せるときは、図７と８で示すように右肩前方固定フレームＡ１３を右肩前面に、左肩前方固定フレームＡ１４を左肩前面に、肩後方固定フレームＡ１５を肩の背中側に、設置する。様々な被施術者の肩とその頭部角度、そして肩から頭頂部までの距離の違いに対し、キャップ保持前頭フレーム１１とキャップ保持頭頂フレーム１２そして毛髪施術用キャップ２１の内面が、被施術者の頭頂部に接し圧迫しないようにするため、回転軸２０を中心とした右肩方向内側回転リング１７と左肩方向内側回転リング１９を回動させ、右肩方向内側回転リング１７と左肩方向内側回転リング１９に支持しているキャップ保持前頭フレーム１１とキャップ保持頭頂フレーム１２を被施術者頭頂部に対し適度な空間を保てるように、回転軸２０を中心に回動して調整することが出来る。
【００３５】
フロートフレーム１０と毛髪施術用キャップ２１は着脱可能だから、毛髪施術用キャップ２１内面が被施術者の頭頂部に触れても良い施術の場合は、フロートフレーム１０と毛髪施術用キャップ２１を分離し、フロートフレーム１０を装着せず、髪施術キャップ２１のみを被施術者に被せることも出来る。
【００３６】
フロートキャップ２４は、頭髪にパーマ還元剤が塗布され、ビニールキャップを被せられたパーマをかける被施術者の頭部、または、カラーリング剤、トリートメント剤が塗布された被施術者頭部に、フロートキャップ２４を上方向から被せる。被施術者頭部に被せるときは、図７と図８のフロートフレーム１０の使用形態の例で表したと同様に、右肩前方固定フレームＢ２７を右肩前面に、左肩前方固定フレームＢ２８を左肩前面に、肩後方固定フレームＢ２９を肩の背中側、に設置する。様々な被施術者の肩とその頭部角度、そして肩から頭頂部までの距離の違いに対し、フロートキャップ２４の非可撓性毛髪施術用キャップ内面が、該被施術者の頭頂部に接し圧迫しないよう空間を保てるようにするため、非可撓性毛髪施術用キャップを、回転軸２０を中心にして回動して調整することが出来る。
【符号の説明】
【００３７】
１０  フロートフレーム
１１  キャップ保持前頭フレーム
１２  キャップ保持頭頂フレーム
１３  右肩前方固定フレームＡ
１４  左肩前方固定フレームＡ
１５  肩後方固定フレームＡ
１６  右肩方向外側回転リング
１７  右肩方向内側回転リング
１８  左肩方向外側回転リング
１９  左肩方向内側回転リング
２０  回転軸
２１  毛髪施術用キャップ
２２  電源コード
２３  毛髪施術用カプセル
２４  フロートキャップ
２５  パーマロッド
２６  非可撓性心材毛髪施術用キャップ
２７  右肩前方固定フレームＢ
２８  左肩前方固定フレームＢ
２９  肩後方固定フレームＢ
３０  右肩方向外側回転リングＢ
３１  左肩方向外側回転リングＢ
【図１】
2013141517.tif 000003
【図２】
2013141517.tif 000004
【図３】
2013141517.tif 000005
【図４】
2013141517.tif 000006
【図５】
2013141517.tif 000007
【図６】
2013141517.tif 000008
【図７】
2013141517.tif 000009
【図８】
2013141517.tif 000010
【図９】
2013141517.tif 000011
【図１０】
2013141517.tif 000012